(57)【要約】【課題】スキャンデータを記憶するためのプログラム等を提供すること。【解決手段】情報処理装置は、記憶されている画像ファイルを示す第１画像を、表示部に表示する。選択第１画像に対して行われる特定操作が、受付部によって受け付けられたことに応じて、画像処理装置でのスキャン処理の実行指示の入力を受け付けるための第２画像を表示部に表示させる。第２画像を選択する操作が受付部によって受け付けられた場合に、選択第１画像に対応する画像ファイルである選択画像ファイルへアクセスするための第１のパス情報を取得する。第２画像を選択する操作が受付部によって受け付けられた場合に、スキャン処理の実行指示を画像処理装置へ送信する。スキャン処理によって生成されたスキャンデータを、画像処理装置から受信する。受信したスキャンデータを、第１のパス情報で指定されている選択画像ファイルに統合する。【選択図】図２
2016071693.tif 000002
【特許請求の範囲】
【請求項１】
表示部と、
各種の操作入力を受け付ける受付部と、
各種の電子ファイルを記憶する記憶部と、
ネットワークに接続可能な通信インターフェースと、
を備えた情報処理装置のコンピュータが読み取り可能なプログラムであって、
前記情報処理装置は、原稿を読み取ってスキャンデータを生成するスキャン処理を実行可能な画像処理装置と、前記通信インターフェースを介して通信することが可能であり、
前記コンピュータを、
前記記憶部に記憶されている画像ファイルを示す第１画像を、前記表示部に表示させる第１表示制御手段と、
選択された第１画像である選択第１画像に対して行われる特定操作が、前記受付部によって受け付けられたことに応じて、前記画像処理装置での前記スキャン処理の実行指示の入力を受け付けるための第２画像を前記表示部に表示させる第２表示制御手段と、
前記第２画像を選択する操作が前記受付部によって受け付けられた場合に、前記選択第１画像に対応する画像ファイルである選択画像ファイルへアクセスするための第１のパス情報を取得する取得手段と、
前記第２画像を選択する操作が前記受付部によって受け付けられた場合に、前記スキャン処理の実行指示を前記通信インターフェースを介して前記画像処理装置へ送信する送信手段と、
前記スキャン処理によって生成されたスキャンデータを前記画像処理装置から受信する受信手段と、
前記受信手段が受信したスキャンデータを、前記第１のパス情報で指定されている前記選択画像ファイルに統合する記憶制御手段と、
して機能させることを特徴とするプログラム。
【請求項２】
前記選択画像ファイルが備えている属性に基づいて、前記スキャン処理で生成されるスキャンデータが備えるべき属性の第１設定値を決定する決定手段として前記コンピュータをさらに機能させ、
前記送信手段は、前記第１設定値に応じたスキャンデータの生成を指示する前記実行指示を送信し、
前記記憶制御手段は、前記第１設定値に基づいて生成された前記スキャンデータを受信することを特徴とする請求項１に記載のプログラム。
【請求項３】
前記記憶制御手段は、前記選択画像ファイルのフォーマットが、複数ページの画像データを含むことができる第１のフォーマットである場合に、前記選択画像ファイルがＫページ（Ｋは１以上の自然数）分の画像データを含んでいる場合には、前記受信したスキャンデータをＫ＋１ページ以降に追加するように統合することを特徴とする請求項１または２に記載のプログラム。
【請求項４】
前記記憶制御手段は、前記選択画像ファイルのフォーマットが、１ページ分の画像データしか含むことができない第２のフォーマットである場合に、１ページ分の画像領域をＮ個（Ｎは２以上の自然数）の分割領域に分割し、１つ目の分割領域に前記選択画像ファイルが含んでいた画像データが示す画像を割り付け、２つ目以降の分割領域に前記受信したスキャンデータが示す画像を割り付けることを特徴とする請求項１〜３の何れか１項に記載のプログラム。
【請求項５】
前記記憶制御手段は、前記選択画像ファイルのフォーマットが前記第２のフォーマットである場合に、前記受信したスキャンデータが複数ページ分のデータである場合には、前記選択画像ファイルのフォーマットを前記第１のフォーマットに変更し、前記受信したスキャンデータを２ページ以降に追加するように統合することを特徴とする請求項４に記載のプログラム。
【請求項６】
前記スキャンデータを何れの種類のスキャナで生成したかを示す第１情報を、前記受信手段はさらに受信し、
前記記憶制御手段は、前記受信したスキャンデータがフラットベッドスキャナで生成されたことを前記第１情報が示している場合には、１ページ分の画像領域をＮ個（Ｎは２以上の自然数）の分割領域に分割し、１つ目の分割領域に前記選択画像ファイルが含んでいた画像データが示す画像を割り付け、２つ目以降の分割領域に前記受信したスキャンデータが示す画像を割り付けることを特徴とする請求項１または２に記載のプログラム。
【請求項７】
前記スキャンデータを何れの種類のスキャナで生成したかを示す第１情報を、前記受信手段はさらに受信し、
前記記憶制御手段は、前記受信したスキャンデータが自動給紙装置付きスキャナで生成されたことを前記第１情報が示している場合に、前記選択画像ファイルがＫページ（Ｋは１以上の自然数）分の画像データを含んでいる場合には、前記受信したスキャンデータをＫ＋１ページ以降に追加するように統合することを特徴とする請求項１または２に記載のプログラム。
【請求項８】
前記取得手段は、前記選択第１画像が複数存在する場合に、前記複数の選択第１画像に対応する複数の選択画像ファイルの各々へアクセスするための、複数の第１のパス情報を取得し、
記憶制御手段は、前記受信手段が受信したスキャンデータを、前記複数の第１のパス情報で指定されている前記複数の選択画像ファイルの各々に統合することを特徴とする請求項１〜７の何れか１項に記載のプログラム。
【請求項９】
前記情報処理装置は、マウスをさらに備え、
前記選択第１画像に対して行われる前記特定操作は、ポインタ画像が前記選択第１画像の上に位置している状態で前記マウスの右クリックボタンをクリックする操作であることを特徴とする請求項１〜８の何れか１項に記載のプログラム。
【請求項１０】
前記情報処理装置は、前記表示部の表示領域内へ指示体が接触又は、近接した位置を示す座標である指示座標を検出するタッチパネルをさらに備え、
前記選択第１画像に対して行われる前記特定操作は、前記選択第１画像の表示範囲内に前記指示体を所定時間以上接触又は、近接させる操作であることを特徴とする請求項１〜８の何れか１項に記載のプログラム。
【請求項１１】
前記プログラムは、
前記情報処理装置の全体を制御するための第１プログラムと、
前記画像処理装置で実行される前記スキャン処理を制御するための第２プログラムと、を備えており、
前記第１プログラムは、前記第１表示制御手段および前記第２表示制御手段として、前記コンピュータを機能させ、
前記第２プログラムは、前記第２画像を選択する操作が前記受付部によって受け付けられた場合に起動するプログラムであり、
前記第２プログラムは、前記取得手段、前記送信手段、前記受信手段、および前記記憶制御手段として、前記コンピュータを機能させることを特徴とする請求項１〜１０の何れか１項に記載のプログラム。
【請求項１２】
表示部と、
各種の操作入力を受け付ける受付部と、
各種の電子ファイルを記憶する記憶部と、
ネットワークに接続可能な通信インターフェースと、
を備えた情報処理装置であって、
前記情報処理装置は、原稿を読み取ってスキャンデータを生成するスキャン処理を実行可能な画像処理装置と、前記通信インターフェースを介して通信することが可能であり、
前記記憶部に記憶されている画像ファイルを示す第１画像を、前記表示部に表示させる第１表示制御手段と、
選択された第１画像である選択第１画像に対して行われる特定操作が、前記受付部によって受け付けられたことに応じて、前記画像処理装置での前記スキャン処理の実行指示の入力を受け付けるための第２画像を前記表示部に表示させる第２表示制御手段と、
前記第２画像を選択する操作が前記受付部によって受け付けられた場合に、前記選択第１画像に対応する画像ファイルである選択画像ファイルへアクセスするための第１のパス情報を取得する取得手段と、
前記第２画像を選択する操作が前記受付部によって受け付けられた場合に、前記スキャン処理の実行指示を前記通信インターフェースを介して前記画像処理装置へ送信する送信手段と、
前記スキャン処理によって生成されたスキャンデータを前記画像処理装置から受信する受信手段と、
前記受信手段が受信したスキャンデータを、前記第１のパス情報で指定されている前記選択画像ファイルに統合する記憶制御手段と、
を備えることを特徴とする情報処理装置。
【請求項１３】
表示部と、
各種の操作入力を受け付ける受付部と、
各種の電子ファイルを記憶する記憶部と、
ネットワークに接続可能な通信インターフェースと、
を備えた情報処理装置の制御方法であって、
前記情報処理装置は、原稿を読み取ってスキャンデータを生成するスキャン処理を実行可能な画像処理装置と、前記通信インターフェースを介して通信することが可能であり、
前記記憶部に記憶されている画像ファイルを示す第１画像を、前記表示部に表示させる第１表示制御ステップと、
選択された第１画像である選択第１画像に対して行われる特定操作が、前記受付部によって受け付けられたことに応じて、前記画像処理装置での前記スキャン処理の実行指示の入力を受け付けるための第２画像を前記表示部に表示させる第２表示制御ステップと、
前記第２画像を選択する操作が前記受付部によって受け付けられた場合に、前記選択第１画像に対応する画像ファイルである選択画像ファイルへアクセスするための第１のパス情報を取得する取得ステップと、
前記第２画像を選択する操作が前記受付部によって受け付けられた場合に、前記スキャン処理の実行指示を前記通信インターフェースを介して前記画像処理装置へ送信する送信ステップと、
前記スキャン処理によって生成されたスキャンデータを前記画像処理装置から受信する受信ステップと、
前記受信ステップが受信したスキャンデータを、前記第１のパス情報で指定されている前記選択画像ファイルに統合する記憶制御ステップと、
を備えることを特徴とする情報処理装置の制御方法。
【発明の詳細な説明】
【技術分野】
【０００１】
本明細書に開示されている技術は、スキャンデータを記憶するためのプログラム等に関する。
【背景技術】
【０００２】
以下の画像データの取得方法が知られている。スキャナは、複数の原稿を読み取ることで複数のスキャンデータを生成する。情報処理装置は、複数のスキャンデータをスキャナから受信する。そして、複数のスキャンデータを含む１つの画像データファイルを生成し、記憶する。なお、関連する技術が、特許文献１に開示されている。
【先行技術文献】
【特許文献】
【０００３】
【特許文献１】特開２００５−１９１７７７号公報
【発明の概要】
【発明が解決しようとする課題】
【０００４】
既に情報処理装置に記憶されている画像データファイルに、さらにスキャンデータを追加したい場合がある。この場合、例えば、（１）既に情報処理装置に記憶されている画像データファイルを生成する際に用いた原稿に、追加させたいスキャンデータを生成するための原稿を追加した上で、全原稿を再度スキャンする処理が必要である。また例えば、（２）各種のアプリケーションを用いることで、追加したいスキャンデータを、記憶済みの画像データファイルに合成する処理が必要である。本明細書では、このような不便性を解消することができる技術を提供する。
【課題を解決するための手段】
【０００５】
本明細書に記載されているプログラムは、表示部と、各種の操作入力を受け付ける受付部と、各種の電子ファイルを記憶する記憶部と、ネットワークに接続可能な通信インターフェースと、を備えた情報処理装置のコンピュータが読み取り可能なプログラムであって、情報処理装置は、原稿を読み取ってスキャンデータを生成するスキャン処理を実行可能な画像処理装置と、通信インターフェースを介して通信することが可能であり、コンピュータを、記憶部に記憶されている画像ファイルを示す第１画像を、表示部に表示させる第１表示制御手段と、選択された第１画像である選択第１画像に対して行われる特定操作が、受付部によって受け付けられたことに応じて、画像処理装置でのスキャン処理の実行指示の入力を受け付けるための第２画像を表示部に表示させる第２表示制御手段と、第２画像を選択する操作が受付部によって受け付けられた場合に、選択第１画像に対応する画像ファイルである選択画像ファイルへアクセスするための第１のパス情報を取得する取得手段と、第２画像を選択する操作が受付部によって受け付けられた場合に、スキャン処理の実行指示を通信インターフェースを介して画像処理装置へ送信する送信手段と、スキャン処理によって生成されたスキャンデータを画像処理装置から受信する受信手段と、受信手段が受信したスキャンデータを、第１のパス情報で指定されている選択画像ファイルに統合する記憶制御手段と、して機能させることを特徴とする。
【０００６】
本明細書に記載されているプログラム等によれば、選択第１画像に対して特定操作を入力することによって、スキャンデータの生成指示を画像処理装置に送信することができる。そして、選択第１画像が示す画像ファイルに、画像処理装置から受信したスキャンデータを統合することができる。既に記憶部に記憶されている画像ファイルに、新たにスキャンデータを統合する処理を、簡易な操作により実行することが可能となる。操作性を向上させることができる。
【０００７】
本明細書に記載されているプログラム等によれば、スキャンデータが備えるべき属性の第１設定値を、自動で決定することができる。第１設定値を入力する操作を行う必要がないため、利便性を高めることができる。
【０００８】
本明細書に記載されているプログラム等によれば、既に記憶部に記憶されている、Ｋページの画像データを含んでいる画像ファイルのＫ＋１ページ以降に、画像処理装置から受信したスキャンデータを追加することができる。画像処理装置から受信したスキャンデータを、画像ファイルに適切に統合することができる。
【０００９】
本明細書に記載されているプログラム等によれば、既に記憶部に記憶されている画像ファイルの１ページ分の画像領域をＮ個の分割領域に分割し、画像処理装置から受信したスキャンデータを空白の分割領域に割り付けることができる。画像処理装置から受信したスキャンデータを、画像ファイルに適切に統合することができる。
【００１０】
複数ページ分のスキャンデータを分割領域に割り付けると、複数ページ分のスキャンデータの各々が縮小されてしまい、閲覧性が低下してしまう場合がある。本明細書に記載されているプログラム等によれば、複数ページ分のスキャンデータを画像処理装置から受信した場合には、既に記憶部に記憶されている画像ファイルの２ページ以降に、スキャンデータを追加することができる。追加したスキャンデータの閲覧性の低下を防止することができる。
【００１１】
本明細書に記載されているプログラム等によれば、フラットベッドスキャナで生成されたスキャンデータが示す画像を、分割領域に割り付けることができる。
【００１２】
本明細書に記載されているプログラム等によれば、自動給紙装置付きスキャナで生成されたスキャンデータが示す画像を、既に記憶部に記憶されている画像ファイルの末尾のページに追加することができる。
【００１３】
本明細書に記載されているプログラム等によれば、既に記憶部に記憶されている複数の画像ファイルの各々に、共通のスキャンデータを統合することが可能となる。
【００１４】
本明細書に記載されているプログラム等によれば、マウスやタッチパネルを用いて情報処理装置を操作する場合においても、スキャンデータの記憶先を適切に決定することができる。
【００１５】
本明細書に記載されているプログラム等によれば、第１プログラムと第２プログラムとを組み合わせることによって、既に記憶部に記憶されている画像ファイルに新たにスキャンデータを統合することが可能となる。
【００１６】
なお、上記のプログラムと同様の動作を行うことができる情報処理装置も、新規で有用である。
【図面の簡単な説明】
【００１７】
【図１】通信システム１のブロック図である。
【図２】ＯＳの動作フローチャートを示す図である。
【図３】スキャン制御プログラムの動作フローチャートを示す図である。
【図４】スキャン制御プログラムの動作フローチャートを示す図である。
【図５】表示画面の一例を示す図である。
【図６】表示画面の一例を示す図である。
【図７】２ｉｎ１態様で統合される画像の一例を示す図である。
【図８】２ｉｎ１態様で統合される画像の一例を示す図である。
【図９】２ｉｎ１態様で統合される画像の一例を示す図である。
【図１０】４ｉｎ１態様で統合される画像の一例を示す図である。
【図１１】４ｉｎ１態様で統合される画像の一例を示す図である。
【図１２】４ｉｎ１態様で統合される画像の一例を示す図である。
【発明を実施するための形態】
【００１８】
＜通信システム１の構成＞
図１に、本願に係る実施形態として例示される通信システム１のブロック図を示す。通信システム１は、情報処理装置１０、ＭＦＰ（Multifunction Peripheralの略）５１、アクセスポイント６２、を備える。情報処理装置１０は、マウスなどのポインティングデバイスを使用するＰＣ（Personal Computerの略）である。
【００１９】
ＭＦＰ５１は、プリンタ機能、スキャナ機能、コピー機能、などを備える多機能周辺装置である。プリンタ機能は、印刷画像を記録用紙に印刷する処理を実行するための機能である。スキャナ機能は、原稿を読み取ってスキャンデータを生成するスキャン処理を実行するための機能である。コピー機能は、スキャンデータを記録用紙に印刷する処理を実行するための機能である。ＭＦＰ５１は、ＡＤＦスキャナ５２およびＦＢスキャナ５３を備えている。ＡＤＦ（（Auto Document Feederの略）スキャナ５２は、複数ページの原稿を自動的に給紙するための自動給紙装置を備えたスキャナである。ＦＢ（Flatbedの略）スキャナ５３は、１枚の原稿をガラス台に固定し、下から光を当てて読取装置を動かして画像を読み取るタイプのスキャナである。アクセスポイント６２は、既知の中継装置である。
【００２０】
情報処理装置１０とアクセスポイント６２とは、インフラストラクチャーモードの無線ＬＡＮ接続方式により、無線通信２００を行うことが可能とされている。また、ＭＦＰ５１とアクセスポイント６２とは、インフラストラクチャーモードの無線ＬＡＮ接続方式により、無線通信２０１を行うことが可能とされている。なお、無線通信２００および２０１の方式の例としては、例えばＩＥＥＥ８０２．１１ａ／ｂ／ｇの規格で定められる通信方式が挙げられる。
【００２１】
＜情報処理装置１０の構成＞
情報処理装置１０は、マウス５、ＣＰＵ（Central Processing Unitの略）１１、記憶部１２、無線送受信部１５、無線アンテナ部１６、ボタン入力部１７、パネル１８、座標検出部１９、を主に備えている。
【００２２】
無線送受信部１５は、無線アンテナ部１６を介して、無線ＬＡＮのインフラストラクチャーモードに準拠する無線通信を行う。ボタン入力部１７は、情報処理装置１０のユーザによる操作を受け付ける。ボタン入力部１７の一例としては、キーボードが挙げられる。
【００２３】
マウス５は、ポインタ位置情報、選択指示情報、メニュー表示情報などを入力するためのデバイスである。ポインタ位置情報は、パネル１８に表示されるポインタの移動方向や移動量を表す情報である。ポインタ位置情報は、マウス５を移動させることによって入力することができる。選択指示情報は、ポインタ画像の表示位置に対応する画像を選択することを指示する情報である。選択指示情報は、マウス５の左クリックボタンをクリックする左クリック操作によって入力することができる。メニュー表示情報は、ポインタ画像の表示位置に対応するメニュー画像を表示することを指示する情報である。メニュー表示情報は、マウス５の右クリックボタンをクリックする右クリック操作によって入力することができる。
【００２４】
パネル１８は、情報処理装置１０の各種機能情報を表示する。座標検出部１９は、パネル１８の表示領域内へ指示体（例：ユーザの指先）が接触または近接した位置を示す座標である、指示座標を検出する部位である。座標検出部１９は、パネル１８と一体に構成されることで、タッチパネル２０として機能する。タッチパネル２０は、選択指示情報、メニュー表示情報などの入力を受け付けるためのデバイスである。選択指示情報は、指示座標に対応する画像を選択することを指示する情報である。選択指示情報は、指示体をタッチパネル２０に短時間接触させるタップ操作によって入力することができる。メニュー表示情報は、指示座標に対応するメニュー画像を表示することを指示する情報である。メニュー表示情報は、指示体をタッチパネル２０に長時間接触させる長押し操作によって入力することができる。
【００２５】
すなわち、情報処理装置１０は、マウス５を用いた入力系統と、タッチパネル２０を用いた入力系統と、の２つの入力系統を用いて、入力操作を受け付けることができる装置である。
【００２６】
ＣＰＵ１１は、記憶部１２内のプログラム２１に従って処理を実行する。以降、スキャン制御プログラム２３やオペレーティングシステム２１ｅなど、プログラムを実行するＣＰＵ１１のことを、単にプログラム名でも記載する場合がある。例えば「オペレーティングシステム２１ｅが」という記載は、「オペレーティングシステム２１ｅを実行するＣＰＵ１１が」を意味する場合がある。
【００２７】
記憶部１２は、ＲＡＭ（Random Access Memoryの略）、ＲＯＭ（Read Only Memoryの略）、フラッシュメモリ、ＨＤＤ（ハードディスクの略）、ＣＰＵ１１が備えるバッファなどが組み合わされて構成されている。記憶部１２は、プログラム２１を記憶する。プログラム２１は、オペレーティングシステム２１ｅ、ドライバプログラム２２、スキャン制御プログラム２３、ＭＦＰ制御プログラム２４、ファイルツリー表示プログラム２５、画像データ加工プログラム２６、を含んでいる。ドライバプログラム２２〜画像データ加工プログラム２６の各プログラムは、ユーザ等によって情報処理装置１０にインストールすることで、利用することが可能である。また記憶部１２は、レジストリ３３、情報処理テーブル３４、スキャン設定記憶領域３５、ファイル記憶領域３６を記憶している。
【００２８】
オペレーティングシステム２１ｅ（以下、ＯＳ２１ｅと記載する場合がある）は、パネル１８に各種の画像を表示させる機能や、ドライバプログラム２２〜画像データ加工プログラム２６に共通して利用される基本的な機能を、提供するプログラムである。またオペレーティングシステム２１ｅは、各アプリケーションが各種ハードウェアに指示をするためのＡＰＩ（Application Programming Interfaceの略）を提供するプログラムでもある。本明細書では、オペレーティングシステム２１ｅとして、Ｗｉｎｄｏｗｓ８（登録商標）が用いられる場合を説明する。
【００２９】
ドライバプログラム２２は、ＭＦＰ５１を制御するためのプログラムである。スキャン制御プログラム２３は、ＭＦＰ５１のスキャン処理を制御するためのプログラムである。スキャン制御プログラム２３によって、ＭＦＰ５１との間で、スキャン処理に関する各種のデータ（例：スキャン処理で生成されたスキャンデータ）の受け渡しをすることが可能である。スキャン制御プログラム２３は、後述するように、右クリック操作によって表示されたメニュー画面を介して起動させることができるプログラムである。ＭＦＰ制御プログラム２４は、ＭＦＰ５１の各種設定を変更したり、各種の機能をＭＦＰ５１に実行させたりするためのプログラムである。ファイルツリー表示プログラム２５は、ファイル記憶領域３６に記憶されている各種のデータファイルを、ツリー構造で表示するプログラムである。画像データ加工プログラム２６は、画像データに各種の加工処理を行うためのプログラムである。加工処理の一例としては、２つの画像データファイルを１つの画像データファイルに合成する処理が挙げられる。
【００３０】
レジストリ３３は、オペレーティングシステム２１ｅやドライバプログラム２２〜画像データ加工プログラム２６などの各種プログラムの設定データを、記憶するデータベースである。スキャン制御プログラム２３を情報処理装置１０にインストールする場合には、スキャン制御プログラム２３のレジストリキーが、レジストリ３３に追加される。具体的には、レジストリ３３のコマンドのデータに、スキャン制御プログラム２３のパスが追加される。これにより、後述するＳ２２５で表示される右クリックメニュー画像（図６参照）に、スキャン制御プログラム２３の起動指示の入力を受け付けるための起動受付画像Ｎ１を追加することができる。
【００３１】
ファイル記憶領域３６は、各種のデータファイルを記憶する領域である。ファイル記憶領域３６は、複数のフォルダを用いてデータファイルを記憶する構造である、階層型ファイル構造を備えている。複数のフォルダの各々は、下層フォルダであるサブフォルダと、各種のデータファイルとを記憶することが可能である。
【００３２】
ファイル記憶領域３６に記憶されている画像データファイルには、第１の画像フォーマットと第２の画像フォーマットが存在する。第１の画像フォーマットは、複数ページの画像データを含むことができる、マルチページ対応のフォーマットである。第１のフォーマットの一例としては、ＴＩＦＦ（Tagged Image File Formatの略）、ＰＤＦ（Portable Document Formatの略）、などが挙げられる。第２の画像フォーマットは、１ページ分の画像データしか含むことができない、マルチページ非対応フォーマットである。第２の画像フォーマットの一例としては、ＪＰＥＧ（Joint Photographic Experts Groupの略）、ビットマップが挙げられる。
【００３３】
スキャン設定記憶領域３５は、スキャン制御プログラム２３のデフォルトスキャン設定値、および、ＭＦＰ制御プログラム２４のデフォルトスキャン設定値を記憶する領域である。デフォルトスキャン設定値は、ユーザによって予め設定されてもよい。デフォルトスキャン設定値は、解像度、色数、画像フォーマット、画像サイズなどを含んでいてもよい。
【００３４】
＜ＯＳ２１ｅの動作＞
本実施形態に係るＯＳ２１ｅの動作を、図２のフローチャートを用いて説明する。ユーザが、ボタン入力部１７を介して情報処理装置１０を起動させる操作を入力すると、ＣＰＵ１１は、ＯＳ２１ｅを読み込んで情報処理装置１０の全体の制御を開始する。これにより、図２のフローが開始される。
【００３５】
Ｓ２１０においてＯＳ２１ｅは、ファイルツリー表示プログラム２５の起動指示が入力されたか否かを判断する。当該判断は、例えば、ファイルツリー表示プログラム２５のアイコン画像に対してダブルクリック操作が入力されたか否かによって行われてもよい。否定判断される場合（Ｓ２１０：ＮＯ）にはＳ２１０へ戻り、肯定判断される場合（Ｓ２１０：ＹＥＳ）にはＳ２１５へ進む。
【００３６】
Ｓ２１５においてＯＳ２１ｅは、ファイルツリー表示プログラム２５を起動する。そして、ファイルツリー画像をパネル１８に表示する。図５に、ファイルツリー画像の一例である、ファイルツリー画像Ｗ１を示す。ファイルツリー画像Ｗ１には、フォルダアイコン画像Ｆ１１〜Ｆ１３、Ｆ２１およびＦ２１、データファイルアイコン画像Ｄ１〜Ｄ３、が含まれている。ファイルツリー画像Ｗ１に示すように、ファイル記憶領域３６は、複数のフォルダを用いた階層型ファイル構造で各種のデータファイルを記憶している。具体的には、フォルダアイコン画像Ｆ１１が示すフォルダ内には、フォルダアイコン画像Ｆ１２およびＦ１３が示すフォルダが記憶されている。フォルダアイコン画像Ｆ１１が示すフォルダは、階層型ファイル構造における最上階層のフォルダである。図５の状態では、フォルダアイコン画像Ｆ１２が選択されている場合を説明する。この場合、フォルダアイコン画像Ｆ１２が示すフォルダの記憶内容が、表示領域Ｒ１に表示される。表示領域Ｒ１には、フォルダアイコン画像Ｆ２１およびＦ２２、データファイルアイコン画像Ｄ１〜Ｄ３が含まれている。このように、ファイル記憶領域３６の階層型ファイル構造では、あるフォルダの中にフォルダとデータファイルとが混在して記憶されている場合がある。本実施形態の説明例では、以下、図５に示す表示画面が示されている場合の動作を説明する。
【００３７】
Ｓ２２０においてＯＳ２１ｅは、データファイルアイコン画像の少なくとも１つに対して、右クリック操作が行われたか否かを判断する。例えば図５に示すように、ポインタ画像Ｐ２がデータファイルアイコン画像Ｄ１の表示領域内に存在する状態で、マウス５の右クリックボタンがクリックされてメニュー表示情報が入力される場合に、ＯＳ２１ｅは、データファイルアイコン画像Ｄ１に対して右クリック操作が行われたと判断する。Ｓ２２０では、複数のデータファイルアイコン画像に対する右クリック操作を受け付けることも可能である。Ｓ２２０において否定判断される場合（Ｓ２２０：ＮＯ）にはフローを終了し、肯定判断される場合（Ｓ２２０：ＹＥＳ）にはＳ２２５へ進む。
【００３８】
Ｓ２２５においてＯＳ２１ｅは、右クリックメニュー画像をパネル１８にプルダウン表示する。右クリックメニュー画像には、スキャン制御プログラム２３の起動指示の入力を受け付けるための起動受付画像が含まれている。図６に、右クリックメニュー画像の一例である、右クリックメニュー画像Ｗ２を示す。右クリックメニュー画像Ｗ２は、図５のポインタ画像Ｐ２の状態で、マウス５の右クリックボタンがクリックされた場合に表示される画像である。右クリックメニュー画像Ｗ２には、各種の指示の入力を受け付ける受付画像が含まれている。その中に、起動受付画像Ｎ１が含まれている。起動受付画像Ｎ１には、スキャン制御プログラム２３を起動することを示唆する文字列（例：スキャンして画像追加）が含まれている。
【００３９】
Ｓ２３０においてＯＳ２１ｅは、起動受付画像が選択されたか否かを判断する。例えば、図６に示すように、ポインタ画像Ｐ１１が起動受付画像Ｎ１の表示領域内に存在する状態で、マウス５の左クリックボタンがシングルクリックされて選択指示情報が入力される場合に、ＯＳ２１ｅは、起動受付画像Ｎ１が選択されたと判断する。Ｓ２３０において否定判断される場合（Ｓ２３０：ＮＯ）にはＳ２３５へ進み、その他の処理を実行する。そしてフローを終了する。一方、肯定判断される場合（Ｓ２３０：ＹＥＳ）にはＳ２４０へ進む。
【００４０】
Ｓ２４０においてＯＳ２１ｅは、右クリック操作が入力されたデータファイルアイコン画像が示すデータファイルへアクセスするための第１パス情報を取得する。第１パス情報は、絶対パスであってもよい。例えば図５に示すように、ポインタ画像Ｐ２がデータファイルアイコン画像Ｄ１の表示領域内に存在する状態で、右クリック操作が入力された場合には、データファイルアイコン画像Ｄ１が示す「Image 1」データファイルへアクセスするための第１パス情報が取得される。またＳ２２０において、複数のデータファイルアイコン画像に対する右クリック操作が受け付けられた場合には、Ｓ２４０においてＯＳ２１ｅは、複数のデータファイルの各々にアクセスするための複数の第１パス情報を取得する。
【００４１】
Ｓ２４５においてＯＳ２１ｅは、Ｓ２４０で取得した第１パス情報を引数にして、スキャン制御プログラム２３を起動する。そしてフローを終了する。
【００４２】
＜スキャン制御プログラム２３の動作＞
本実施形態に係るスキャン制御プログラム２３の動作を、図３および図４のフローチャートを用いて説明する。前述したＳ２４５において、スキャン制御プログラム２３が起動されることに応じて、図３のフローが開始される。Ｓ５１０においてスキャン制御プログラム２３は、前述したＳ２４０で生成された引数に基づいて、１個の第１パス情報を取得する。
【００４３】
Ｓ５１５においてスキャン制御プログラム２３は、第１パス情報で示されるデータファイルのフォーマットが、第１の画像フォーマット（すなわち、マルチページ対応のフォーマット）であるか否かを判断する。Ｓ５１５において肯定判断される場合（Ｓ５１５：ＹＥＳ）には、Ｓ５２０へ進む。
【００４４】
Ｓ５２０においてスキャン制御プログラム２３は、第１パス情報で示される画像データファイルの属性に基づいて、スキャン設定値および保存フォーマットを決定する。画像データファイルの属性は、解像度、色数、画像サイズ、画像フォーマットなどを含んでいる。スキャン設定値は、ＭＦＰ５１で生成されるスキャンデータが備えるべき属性を示す値である。スキャン設定値の一例としては、解像度（例：３００ｄｐｉ）、色数（例：カラー）、画像サイズ（例：Ａ４サイズ）、などが挙げられる。保存フォーマットは、ＭＦＰ５１から受信したスキャンデータを、第１パス情報で示される画像データファイルに追加（Ｓ５４０）する際に用いられる、画像フォーマットである。そして、Ｓ５３０へ進む。
【００４５】
Ｓ５３０においてスキャン制御プログラム２３は、スキャン処理の実行指示を、無線送受信部１５および無線アンテナ部１６を介してＭＦＰ５１へ送信する。スキャン処理の実行指示は、Ｓ５２０で決定したスキャン設定値に応じたスキャンデータの生成をＭＦＰ５１に指示するための情報である。そして、Ｓ５３５へ進む。
【００４６】
ＭＦＰ５１は、スキャン処理の実行指示を受信すると、原稿を読み取ってスキャンデータを生成する。自動給紙装置に原稿がセットされている場合には、ＭＦＰ５１は、ＡＤＦスキャナ５２を用いてスキャンデータを生成する。また、ガラス台に原稿がセットされている場合には、ＭＦＰ５１は、ＦＢスキャナ５３を用いてスキャンデータを生成する。またＭＦＰ５１は、スキャナ種類情報を生成する。スキャナ種類情報は、ＡＤＦスキャナ５２およびＦＢスキャナ５３の何れを用いてスキャンデータを生成したかを示す情報である。
【００４７】
本実施形態の説明例では、Ｊページ（Ｊは１以上の自然数）の原稿が自動給紙装置にセットされている場合の動作を、以下に説明する。この場合ＭＦＰ５１は、Ｊページ分のスキャンデータ、および、ＡＤＦスキャナ５２を用いたことを示すスキャナ種類情報を、情報処理装置１０へ送信する。
【００４８】
Ｓ５３５においてスキャン制御プログラム２３は、スキャンデータおよびスキャナ種類情報をＭＦＰ５１から受信したか否かを判断する。否定判断される場合（Ｓ５３５：ＮＯ）にはＳ５３５へ戻り、肯定判断される場合（Ｓ５３５：ＹＥＳ）にはＳ５３７へ進む。
【００４９】
Ｓ５３７においてスキャン制御プログラム２３は、受信したスキャナ種類情報が、何れのスキャナを用いてスキャンデータを生成したかを示しているかを判断する。ＡＤＦスキャナを示している場合（Ｓ５３７：ＡＤＦ）には、Ｓ５４０へ進む。
【００５０】
Ｓ５４０においてスキャン制御プログラム２３は、Ｓ５３５で受信したＪページ分のスキャンデータを、第１パス情報で指定されている画像データファイルの最終ページ以降に統合する。具体的には、第１パス情報で指定されている画像データファイルが、Ｋページ（Ｋは１以上の自然数）分の画像データを含んでいる場合には、受信したＪページ分のスキャンデータを、Ｋ＋１ページ以降に追加するように統合する。そしてＳ５４３へ進む。
【００５１】
また、Ｓ５３７において、スキャナ種類情報がＦＢスキャナを示している場合（Ｓ５３７：ＦＢ）には、Ｓ５４２へ進む。Ｓ５４２においてスキャン制御プログラム２３は、Ｓ５３５で受信したＪページ分のスキャンデータを、第１パス情報で指定されている画像データファイルに、Ｎｉｎ１態様（Ｎは２以上の自然数）で統合する。具体的には、画像データファイルが表す１ページ分の画像領域を、Ｎ個の分割領域に分割する。そして、第１パス情報で指定されている画像データファイルが示す画像を、１つ目の分割領域に割り付ける。また、受信したスキャンデータが示す画像を、２つ目の分割領域に割り付ける。そしてＳ５４３へ進む。
【００５２】
例として、Ｎが「４」である場合に、４ｉｎ１態様でスキャンデータを統合する方法を、図１０〜図１２を用いて説明する。また、３ページ分のスキャンデータを受信した場合を説明する。図１０は、第１パス情報で指定されている画像データファイルが示す、１ページ分の画像Ｇ１である。図１１に示すように、この画像Ｇ１が表示されている領域Ａ１を、４個の分割領域Ａ２１〜Ａ２４に分割する。分割領域の向きは、分割数によって自動的に決定する。４分割する場合には、分割前の分割領域の向きと分割後の分割領域の向きとは、同一である。また、分割領域のサイズは、分割数によって自動的に決定する。４分割する場合には、分割前の分割領域のサイズに対して、分割後の分割領域のサイズは、面積比で約２５％に縮小される。図１２に示すように、画像Ｇ１を、分割領域Ａ２１に割り付ける。また、受信した３ページ分のスキャンデータが示す画像Ｇ２〜Ｇ４の各々を、分割領域Ａ２２〜Ａ２４の各々に割り付ける。これにより、４ｉｎ１態様でスキャンデータを統合する処理が完了する。
【００５３】
Ｓ５４３においてスキャン制御プログラム２３は、全ての第１パス情報について、スキャンデータを統合する処理を実行したか否かを判断する。肯定判断される場合（Ｓ５４３：ＹＥＳ）にはフローを終了する。一方、否定判断される場合（Ｓ５４３：ＮＯ）には、Ｓ２４０において複数の第１パス情報が取得された場合において、まだスキャンデータを統合する処理が実施されていない第１パス情報が存在すると判断される。よって、Ｓ５４４へ進む。Ｓ５４４においてスキャン制御プログラム２３は、まだスキャンデータを統合する処理が実施されていない、新たな１つの第１パス情報を選択する。そしてＳ５１５へ戻り、新たな１つの第１パス情報に対して、スキャンデータを統合する処理を実行する。
【００５４】
一方、Ｓ５１５において否定判断される場合（Ｓ５１５：ＮＯ）には、Ｓ５４５へ進む。Ｓ５４５においてスキャン制御プログラム２３は、第１パス情報で示されるデータファイルのフォーマットが、第２の画像フォーマット（すなわち、マルチページ非対応のフォーマット）であるか否かを判断する。否定判断される場合（Ｓ５４５：ＮＯ）には、フローを終了する。否定判断される場合の一例としては、第１パス情報で示されるデータファイルが、画像データファイルとは異なる場合（例：ワープロソフトのデータファイル）が挙げられる。一方、肯定判断される場合（Ｓ５４５：ＹＥＳ）には、Ｓ５５０へ進む。
【００５５】
Ｓ５５０においてスキャン制御プログラム２３は、第１パス情報で示される画像データファイルの属性に基づいて、スキャン設定値および保存フォーマットを決定する。なお、Ｓ５５０の具体的な処理内容は、前述したＳ５２０の処理内容と同様であるため、ここでは説明を省略する。そして、Ｓ５５５へ進む。
【００５６】
Ｓ５５５においてスキャン制御プログラム２３は、スキャン処理の実行指示を、無線送受信部１５および無線アンテナ部１６を介してＭＦＰ５１へ送信する。スキャン処理の実行指示は、Ｓ５５０で決定したスキャン設定値に応じたスキャンデータの生成をＭＦＰ５１に指示するための情報である。なお、Ｓ５５５の具体的な処理内容は、前述したＳ５３０の処理内容と同様であるため、ここでは説明を省略する。そして、Ｓ５６０へ進む。
【００５７】
Ｓ５６０においてスキャン制御プログラム２３は、スキャンデータおよびスキャナ種類情報をＭＦＰ５１から受信したか否かを判断する。否定判断される場合（Ｓ５６０：ＮＯ）にはＳ５６０へ戻り、肯定判断される場合（Ｓ５６０：ＹＥＳ）にはＳ５６５へ進む。
【００５８】
Ｓ５６５においてスキャン制御プログラム２３は、受信したスキャンデータが１ページ分のデータであるか否かを判断する。肯定判断される場合（Ｓ５６５：ＹＥＳ）には、Ｓ５６８へ進む。Ｓ５６８においてスキャン制御プログラム２３は、受信したスキャナ種類情報が、何れのスキャナを用いてスキャンデータを生成したかを示しているかを判断する。ＡＤＦスキャナを示している場合（Ｓ５６８：ＡＤＦ）にはＳ５７５へ進み、ＦＢスキャナを示している場合（Ｓ５６８：ＦＢ）にはＳ５７０へ進む。
【００５９】
Ｓ５７０においてスキャン制御プログラム２３は、受信した１ページ分のスキャンデータを、２ｉｎ１態様で、第１パス情報で指定されている画像データファイルに統合する。そしてＳ５８３へ進む。
【００６０】
図７〜図９を用いて、２ｉｎ１態様でスキャンデータを統合する方法を、具体的に説明する。図７は、第１パス情報で指定されている画像データファイルが示す、１ページ分の画像Ｇ１である。
【００６１】
図８に示すように、この画像Ｇ１が表示されている領域Ａ１を、２個の分割領域Ａ１１およびＡ１２に分割する。分割は、分割後の長辺Ｅ１ａと短辺Ｅ２ａとの比が、分割前の長辺Ｅ１と短辺Ｅ２との比と等しくなるように行われる。分割領域の向きは、分割数によって自動的に決定する。２分割する場合は、分割前の分割領域の向きに対して、分割後の分割領域の向きは、９０度回転する。また、分割領域のサイズは、分割数によって自動的に決定する。２分割する場合は、分割前の分割領域のサイズに対して、分割後の分割領域のサイズは、面積比で約５０％に縮小される。
【００６２】
図９に示すように、画像Ｇ１を、分割領域Ａ１１に割り付ける。また、受信した１ページ分のスキャンデータが示す画像Ｇ２を、分割領域Ａ１２に割り付ける。これにより、２ｉｎ１態様でスキャンデータを統合する処理が完了する。
【００６３】
一方、Ｓ５６５において否定判断される場合（Ｓ５６５：ＮＯ）には、Ｓ５７５へ進む。Ｓ５７５においてスキャン制御プログラム２３は、第１パス情報で指定されている画像データファイルのフォーマットを、第２の画像フォーマット（すなわち、マルチページ非対応のフォーマット）から、第１の画像フォーマット（すなわち、マルチページ対応のフォーマット）へ変更する。例えば、画像データファイルのフォーマットを、ビットマップからＴＩＦＦへ変更してもよい。そしてＳ５８０へ進む。
【００６４】
Ｓ５８０においてスキャン制御プログラム２３は、Ｓ５６０で受信した複数ページ分のスキャンデータを、第１パス情報で指定されている画像データファイルに統合する。なお、Ｓ５８０の具体的な処理内容は、前述したＳ５４０の処理内容と同様であるため、ここでは説明を省略する。そしてＳ５８３へ進む。
【００６５】
Ｓ５８３およびＳ５８４の処理内容は、前述したＳ５４３およびＳ５４４の処理内容と同様である。よって詳細な説明を省略する。
【００６６】
＜効果＞
本明細書に記載されているスキャン制御プログラム２３等によれば、選択されたデータファイルアイコン画像に対して右クリック操作を入力（Ｓ２２０）することによって、スキャン処理の実行指示をＭＦＰ５１へ送信することができる（Ｓ５３０、Ｓ５５５）。そして、選択されたデータファイルアイコン画像が示す画像データファイルに、ＭＦＰ５１から受信したスキャンデータを統合することができる（Ｓ５４０、Ｓ５８０）。これにより、データファイルアイコン画像に右クリック操作を入力する、という簡易な操作を実行するだけで、右クリック操作が入力された画像データファイルへ、スキャンデータを追加することができる。すなわち、（１）画像データファイルを生成する際に用いた原稿に、追加させたいスキャンデータを生成するための原稿を追加した上で、全原稿を再度スキャンする、という手間が不要になる。また、（２）画像データ加工プログラム２６を使用することで、追加したいスキャンデータを、画像データファイルに合成する、という手間が不要になる。よって、操作性を向上させることができる。
【００６７】
本明細書に記載されているスキャン制御プログラム２３等によれば、右クリック操作を入力したデータファイルアイコン画像に対応する画像データファイルが備えている属性に基づいて、スキャン設定値および保存フォーマットを自動的に決定することができる（Ｓ５２０、Ｓ５５０）。スキャン設定値および保存フォーマットを入力する操作を行う必要がないため、ユーザの利便性を高めることができる。
【００６８】
本明細書に記載されているスキャン制御プログラム２３等によれば、第１パス情報で示される画像データファイルのフォーマットが、第１の画像フォーマット（すなわち、マルチページ対応のフォーマット）である場合（Ｓ５１５：ＹＥＳ）に、当該画像データファイルがＫページ分の画像データを含んでいる場合には、受信したスキャンデータをＫ＋１ページ以降に追加することができる（Ｓ５４０）。これにより、ＭＦＰ５１から受信したスキャンデータを、画像データファイルに適切に統合することができる。
【００６９】
本明細書に記載されているスキャン制御プログラム２３等によれば、第１パス情報で示される画像データファイルのフォーマットが、第２の画像フォーマット（すなわち、マルチページ非対応のフォーマット）である場合（Ｓ５１５：ＮＯ）には、受信した１ページ分のスキャンデータを、２ｉｎ１態様で、第１パス情報で指定されている画像データファイルに統合することができる（Ｓ５７０）。これにより、第１パス情報で示される画像データファイルに含まれる画像データのページ数を１ページに維持したまま、スキャンデータが示す画像を追加することができる。よって、マルチページ非対応のフォーマットを有する画像データファイルに対しても、スキャンデータを適切に統合することが可能となる。
【００７０】
第２の画像フォーマット（すなわち、マルチページ非対応のフォーマット）を有する画像データファイルに、２ページ分以上のスキャンデータを統合する場合には、画像データファイルが表す１ページ分の画像領域が、４個以上の分割領域に分割されることになる。すると、分割領域に割り付けられる画像の各々は、面積比で２５％以下に縮小されてしまうため、閲覧性が低下する事になってしまう。本明細書に記載されているスキャン制御プログラム２３によれば、複数ページ分のスキャンデータをＭＦＰ５１から受信した場合には（Ｓ５６５：ＮＯ）、第１パス情報で指定されている画像データファイルのフォーマットを、第２の画像フォーマットから、第１の画像フォーマット（すなわち、マルチページ対応のフォーマット）へ変更することができる（Ｓ５７５）。これにより、第１パス情報で指定されている画像データファイルの最終ページ以降に、複数ページ分のスキャンデータを統合することができる（Ｓ５８０）。よって、複数ページ分のスキャンデータの各々が表す画像を縮小する必要がない。複数ページ分のスキャンデータの各々が表す画像の閲覧性の低下を、防止することができる。
【００７１】
免許証などのカード形状の証明書や、パスポートなどの冊子形状の証明書は、ＦＢスキャナ５３を用いてスキャンする必要がある。そして、ＦＢスキャナ５３を用いて証明書をスキャンする場合には、１枚の用紙にＮｉｎ１態様で画像を表示させることが好ましい場合が多い。本明細書に記載されているスキャン制御プログラム２３によれば、受信したスキャナ種類情報が、ＦＢスキャナを用いてスキャンデータを生成したことを示している場合（Ｓ５３７：ＦＢ）には、自動的にＮｉｎ１態様で、スキャンデータを追加することができる（Ｓ５４２）。ユーザの利便性を高めることができる。
【００７２】
ＡＤＦスキャナ５２を用いて原稿をスキャンする場合は、原稿がもともと複数ページに分かれている場合が多い。すると、画像データファイルに複数ページの画像が含まれている態様を用いることが好ましい場合が多い。本明細書に記載されているスキャン制御プログラム２３によれば、受信したスキャナ種類情報が「ＡＤＦスキャナを用いてスキャンデータを生成したこと」を示している場合（Ｓ５６８：ＡＤＦ）には、スキャンデータが１ページ分のデータである場合（Ｓ５６５：ＹＥＳ）においても、自動的に複数ページ態様で、スキャンデータを追加することができる（Ｓ５７５、Ｓ５８０）。ユーザの利便性を高めることができる。
【００７３】
Ｓ２２０において、複数のデータファイルアイコン画像に対する右クリック操作を受け付けた場合には、第１パス情報が複数存在することになる。本明細書に記載されているスキャン制御プログラム２３によれば、全ての第１パス情報に対してスキャンデータを統合する処理を実行するまで、Ｓ５１５〜Ｓ５４３およびＳ５４５〜Ｓ５８３のステップを繰り返し実行することができる。これにより、複数のデータファイルアイコン画像が示す複数のデータファイルの各々に、共通のスキャンデータを統合することが可能となる。
【００７４】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。以下に変形例を説明する。
【００７５】
＜変形例＞
本実施形態では、右クリック操作によってメニュー表示情報が入力される場合を説明したが、この形態に限られない。タッチパネル２０への長押し操作によって、メニュー表示情報が入力される場合においても、本明細書で説明している技術を実現することが可能である。
【００７６】
情報処理装置１０は、ＰＣに限られない。タッチパネルにより操作入力を受け付ける、タブレット端末やスマートフォンであってもよい。
【００７７】
情報処理装置１０とＭＦＰ５１との通信は、無線通信２００および２０１による通信に限られない。例えば、ＵＳＢ接続による通信であってもよい。この場合、情報処理装置１０は、ＵＳＢインターフェースを備えればよい。そして、ＵＳＢインターフェースおよびＵＳＢケーブルを介して、ＭＦＰ５１と有線接続されるとすればよい。
【００７８】
Ｓ５２０において、第１パス情報で示されるデータファイルが複数ページの画像データを含む場合には、ページごとの属性に基づいて、ページごとにスキャン設定値を決定してもよい。そしてＳ５３０において、ページごとのスキャン設定値に基づいてスキャンデータを生成するための実行指示を、送信してもよい。例えば、第１パス情報で示されるデータファイルの１ページ目がカラーであり、２ページ目以降がモノクロである場合には、スキャンデータの１ページ目をカラーとし、２ページ目以降をモノクロとする実行指示を送信してもよい。
【００７９】
Ｓ５２０やＳ５５０で行われる、スキャン設定値および保存フォーマットを決定する処理は、省略してもよい。この場合、スキャン設定記憶領域３５に記憶されている、スキャン制御プログラム２３のデフォルトスキャン設定値やＭＦＰ制御プログラム２４のデフォルトスキャン設定値を用いて、スキャン設定値および保存フォーマットを決定してもよい。
【００８０】
Ｓ２４５において、ＯＳ２１ｅは、ＭＦＰ制御プログラム２４を起動するとしてもよい。
【００８１】
図５および図６に示した表示画面の表示態様は一例であり、他の表示態様を用いることも可能である。
【００８２】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００８３】
パネル１８は、表示部の一例である。マウス５およびタッチパネル２０は、受付部の一例である。無線送受信部１５および無線アンテナ部１６は、通信インターフェースの一例である。ＣＰＵ１１は、コンピュータの一例である。スキャン制御プログラム２３およびＯＳ２１ｅは、プログラムの一例である。ＭＦＰ５１は、画像処理装置の一例である。データファイルアイコン画像は、第１画像の一例である。Ｓ２１５を実行するＣＰＵ１１は、第１表示制御手段の一例である。右クリック操作および長押し操作は、特定操作の一例である。起動受付画像Ｎ１は、第２画像の一例である。Ｓ２２５を実行するＣＰＵ１１は、第２表示制御手段の一例である。Ｓ２４０、Ｓ５１０を実行するＣＰＵ１１は、取得手段の一例である。Ｓ５３０、Ｓ５５５を実行するＣＰＵ１１は、送信手段の一例である。Ｓ５３５、５６０を実行するＣＰＵ１１は、受信手段の一例である。Ｓ５４０、Ｓ５７０、Ｓ５８０を実行するＣＰＵ１１は、記憶制御手段の一例である。スキャン設定値は、第１設定値および第２設定値の一例である。Ｓ５２０、Ｓ５５０を実行するＣＰＵ１１は、決定手段の一例である。スキャナ種類情報は、第１情報の一例である。
【００８４】
なお、各プログラムは一つのプログラムモジュールから構成されるものであってもよいし、複数のプログラムモジュールから構成されるものであってもよい。また、各一例は置換可能な他の構成であってもよく、本発明の範疇である。コンピュータの指示に従って動作するハード構成（パネル１８など）であってもよいし、コンピュータとハード構成とが連動した構成であってもよい。もちろん、複数のプログラムに基づく処理を連動させて処理を実行するコンピュータであってもよいし、複数のプログラムに基づく処理を連動させて処理を実行するコンピュータの指示に従って動作するハード構成であってもよい。
【符号の説明】
【００８５】
１０：情報処理装置、５：マウス、１１：ＣＰＵ、１２：記憶部、１８：パネル、１９：座標検出部、２０：タッチパネル、２１ｅ：オペレーティングシステム、２３：スキャン制御プログラム、２５：ファイルツリー表示プログラム
【図１】
2016071693.tif 000003
【図２】
2016071693.tif 000004
【図３】
2016071693.tif 000005
【図４】
2016071693.tif 000006
【図５】
2016071693.tif 000007
【図６】
2016071693.tif 000008
【図７】
2016071693.tif 000009
【図８】
2016071693.tif 000010
【図９】
2016071693.tif 000011
【図１０】
2016071693.tif 000012
【図１１】
2016071693.tif 000013
【図１２】
2016071693.tif 000014